(57)【要約】【課題】第三者が被験者の睡眠状態を正確にモニタリングすることができる睡眠モニタリングシステム及びモニタリング装置を提供することを目的とする。【解決手段】本発明にかかる睡眠モニタリングシステムは、利用者の睡眠状態を測定する睡眠状態測定装置１１ａと、利用者の睡眠状態をモニタリングする管理装置１２ａとを備え、睡眠状態測定装置１１ａのデータ生成部６３が、生体情報検出部３１により検出された利用者の睡眠情報に基づいて在床データ及び体動データを生成する。そして、管理装置１２ａのｗｅｂサーバー４７は、睡眠状態測定装置１２ａから受信した在床データ及び体動データ、さらには判定部４９が判定した利用者の入眠及び覚醒を、予め登録された家族の端末によって閲覧可能な状態にする。【選択図】　図１
2004097496.tif 000002
【特許請求の範囲】
【請求項１】
被験者の睡眠状態を測定する睡眠状態測定装置と、前記被験者の睡眠状態をモニタリングするモニタリング装置とを備えた睡眠モニタリングシステムであって、
前記睡眠状態測定装置は、
前記被験者の寝具に設置された装置から睡眠情報を検出する検出手段と、
当該検出手段により検出された前記被験者の睡眠情報に基づいて、被験者が在床しているか又は離床しているかを示す在床情報、及び被験者が体動を発生させたか否かを示す体動情報を生成する情報生成手段と、
少なくとも前記在床情報及び前記体動情報を前記モニタリング装置に送信する送信手段とを有し、
前記モニタリング装置は、
前記送信手段から送信された前記在床情報及び前記体動情報を受信する受信手段と、
当該受信手段により受信された前記在床情報及び前記体動情報を、予め登録された登録者の端末によって閲覧可能な状態にする情報提示手段とを有する睡眠モニタリングシステム。
【請求項２】
被験者の睡眠状態を測定する睡眠状態測定装置と、前記被験者の睡眠状態をモニタリングするモニタリング装置とを備えた睡眠モニタリングシステムであって、
前記睡眠状態測定装置は、
前記被験者の寝具に設置された装置から睡眠情報を検出する検出手段と、
当該検出手段により検出された前記被験者の睡眠情報に基づいて、被験者が在床しているか又は離床しているかを示す在床情報、及び被験者が体動を発生させたか否かを示す体動情報を生成する情報生成手段と、
少なくとも前記在床情報及び前記体動情報を前記モニタリング装置に送信する送信手段とを有し、
前記モニタリング装置は、
前記送信手段から送信された前記在床情報及び前記体動情報を受信する受信手段と、
当該受信手段により受信された前記在床情報及び前記体動情報に基づいて被験者の入眠及び覚醒、並びに浅い眠り及び深い眠りを判定する判定手段と、
当該判定手段により判定された前記被験者の入眠及び覚醒を、予め登録された登録者の端末によって閲覧可能な状態にする情報提示手段とを有する睡眠モニタリングシステム。
【請求項３】
前記判定手段は、前記入眠及び前記覚醒に基づいて被験者の睡眠時間を算出し、
前記情報提示手段は、前記登録者の端末によって前記睡眠時間を閲覧可能な状態にすることを特徴とする請求項２記載の睡眠モニタリングシステム。
【請求項４】
前記情報生成手段は、前記被験者の睡眠情報から一定以上の振幅を有する測定信号を抽出することにより前記体動情報を生成することを特徴とする請求項１又は２記載の睡眠モニタリングシステム。
【請求項５】
前記モニタリング装置は、前記登録者からの要求に応じて、前記在床情報及び前記体動情報の取得を要求する情報取得要求手段を有し、
前記睡眠状態測定装置の送信手段は、前記情報取得要求手段による要求に応じて、前記在床情報及び前記体動情報を前記モニタリング装置に対して送信することを特徴とする請求項１又は２記載の睡眠モニタリングシステム。
【請求項６】
被験者の睡眠状態をモニタリングするモニタリング装置であって、
前記被験者から検出された睡眠情報に基づいて生成された、被験者が在床しているか又は離床しているかを示す在床情報、及び被験者が体動を発生させたか否かを示す体動情報を取得する情報取得手段と、
当該情報取得手段により取得された在床情報及び体動情報を、予め登録された登録者の端末によって閲覧可能な状態にする情報提示手段とを備えたモニタリング装置。
【請求項７】
被験者の睡眠状態をモニタリングするモニタリング装置であって、
前記被験者から検出された睡眠情報に基づいて生成された、被験者が在床しているか又は離床しているかを示す在床情報、及び被験者が体動を発生させたか否かを示す体動情報を取得する情報取得手段と、
当該情報取得手段により取得された在床情報及び体動情報に基づいて、被験者の入眠及び覚醒、並びに浅い眠り及び深い眠りを判定する判定手段と、
当該判定手段により判定された前記被験者の入眠及び覚醒を、予め登録された登録者の端末によって閲覧可能な状態にする情報提示手段とを備えたモニタリング装置。
【請求項８】
前記判定手段は、前記入眠及び前記覚醒に基づいて被験者の睡眠時間を算出し、
前記情報提示手段は、前記登録者の端末によって前記睡眠時間を閲覧可能な状態にすることを特徴とする請求項７記載のモニタリング装置。
【発明の詳細な説明】
【０００１】
【発明の属する技術分野】
本発明は、被験者の睡眠状態をモニタリングする睡眠モニタリングシステム及びモニタリング装置に関する。
【０００２】
【従来の技術】
従来から、様々な在宅健康管理システムが提案されている。そのうちの一つに、睡眠時に測定した人体の情報から睡眠状態を判定する睡眠状態測定装置がある（例えば、特許文献１参照）。この従来の睡眠状態測定装置では、被験者である就寝者の睡眠の良し悪しに関わる要素として、寝付くまでの時間、深い眠りだった時間、中途覚醒の回数等を用いる。そして、これらの要素から被験者の睡眠状態を測定して睡眠の質の良否が判定され、睡眠の質の良否が総合的に評価されている。
【０００３】
また、この従来の睡眠状態測定装置では、寝付くまでの時間、深い眠りだった時間、中途覚醒が時系列に測定される。そして、睡眠中の生体情報、特に心拍数あるいは脈拍数をもとに、現在覚醒しているのか、ＲＥＭ睡眠状態にあるか、浅い眠りの状態か、深い眠りの状態かが判定されている。
【０００４】
近年、このような睡眠の質に応じて行った判定評価の結果を基に、被験者に対して睡眠に関するアドバイスを提示するようなサービスが提示されている（例えば、特許文献２参照）。このようなサービスでは、寝付くまでの時間が短かったり中途覚醒の回数が多かった場合には寝る前に明るい光を浴びないようにアドバイスをしたりする。
【０００５】
しかしながら、従来の睡眠状態測定装置では、被験者の睡眠状態を測定する際に睡眠中の生体情報として心拍データや脈拍データを用いると、被験者が横向きに寝ていた場合などに睡眠中の生体情報を確実に取得することができないことがある。そのため、被験者の睡眠情報を確実に測定することができない。
【０００６】
さらに、睡眠には個人差があり、また一被験者の睡眠であっても日々異なるため、睡眠状態として各種の生体情報を用いる場合には、しきい値を設定するのが難しく現実的でない。比較対象を設定することが容易でない。また各種の生体情報を用いる場合、生体情報にしきい値を設けてそれぞれの睡眠状態を比較することも考えられる。しかし、生体情報にしきい値を設定することが非常に困難であり、そのために人それぞれにしきい値を設定することができない。
【０００７】
【特許文献１】
特開平５−９５９３５号公報
【特許文献２】
特開２００１−６１８１９号公報
【０００８】
【発明が解決しようとする課題】
このように、従来の睡眠状態測定装置では、被験者の心拍データや脈拍データを用いて睡眠状態を判定するため、被験者の向きによって睡眠状態を確実に判定することができず、心拍や脈拍を睡眠状態に使うのが難しいという問題点があった。また、家族や医師等の第三者が被験者の睡眠状態を、プライバシーやセキュリティを守りつつ正確にモニタリングすることができなかった。
【０００９】
本発明は、このような問題点を解決するためになされたもので、第三者が被験者の睡眠状態を無意識、無侵襲、無拘束で、簡便かつ確実にモニタリングすることができ、かつプライバシーやセキュリティを守りつつモニタリングする睡眠モニタリングシステム及びモニタリング装置を提供することを目的とする。
【００１０】
【課題を解決するための手段】
本発明にかかる睡眠モニタリングシステムは、被験者の睡眠状態を測定する睡眠状態測定装置と、前記被験者の睡眠状態をモニタリングするモニタリング装置（例えば、発明の実施の形態における管理装置１２ａ及びｗｅｂサーバー４７）とを備えた睡眠モニタリングシステムであって、前記睡眠状態測定装置は、前記被験者の寝具に設置された装置から睡眠情報を検出する検出手段（例えば、発明の実施の形態における生体情報検出部３１）と、当該検出手段により検出された前記被験者の睡眠情報に基づいて、被験者が在床しているか又は離床しているかを示す在床情報、及び被験者が体動を発生させたか否かを示す体動情報を生成する情報生成手段（例えば、発明の実施の形態におけるデータ解析部３２のデータ生成部６３）と、少なくとも前記在床情報及び前記体動情報を前記モニタリング装置に送信する送信手段（例えば、発明の実施の形態におけるデータ送受信部３３）とを有し、前記モニタリング装置は、前記送信手段から送信された前記在床情報及び前記体動情報を受信する受信手段（例えば、発明の実施の形態におけるデータ送受信部４５）と、当該受信手段により受信した前記在床情報及び前記体動情報を、予め登録された登録者の端末によって閲覧可能な状態にする情報提示手段（例えば、発明の実施の形態におけるｗｅｂサーバー４７）とを有するものである。このような構成により、登録者は、被験者の睡眠状態を的確に表す在床情報及び体動情報を、インターネット接続する機器等があれば、どこにいても手軽に閲覧することができる。
【００１１】
他方、本発明にかかる睡眠モニタリングシステムは、被験者の睡眠状態を測定する睡眠状態測定装置と、前記被験者の睡眠状態をモニタリングするモニタリング装置（例えば、発明の実施の形態における管理装置１２ａ及びｗｅｂサーバー４７）とを備えた睡眠モニタリングシステムであって、前記睡眠状態測定装置は、前記被験者の寝具に設置された装置から睡眠情報を検出する検出手段（例えば、発明の実施の形態における生体情報検出部３１）と、当該検出手段により検出された前記被験者の睡眠情報に基づいて、被験者が在床しているか又は離床しているかを示す在床情報、及び被験者が体動を発生させたか否かを示す体動情報を生成する情報生成手段（例えば、発明の実施の形態におけるデータ解析部３２のデータ生成部６３）と、少なくとも前記在床情報及び前記体動情報を前記モニタリング装置に送信する送信手段（例えば、発明の実施の形態におけるデータ送受信部３３）とを有し、前記モニタリング装置は、前記送信手段から送信された前記在床情報及び前記体動情報を受信する受信手段（例えば、発明の実施の形態におけるデータ送受信部４５）と、当該受信手段により受信した前記在床情報及び前記体動情報に基づいて被験者の入眠及び覚醒、並びに浅い眠り及び深い眠りを判定する判定手段（例えば、発明の実施の形態における判定部４８）と、当該判定手段により判定した被験者の前記入眠及び前記覚醒を、予め登録された登録者の端末によって閲覧可能な状態にする情報提示手段（例えば、発明の実施の形態におけるｗｅｂサーバー４７）とを有するものである。このような構成により、登録者は、被験者の睡眠状態を的確に表す在床情報及び体動情報を、インターネット接続する機器等があれば、どこにいても手軽に閲覧することができる。
【００１２】
さらに、本発明にかかる睡眠モニタリングシステムでは、前記判定手段は、前記入眠及び前記覚醒に基づいて被験者の睡眠時間を算出し、前記情報提示手段は、前記登録者の端末によって前記睡眠時間を、インターネット接続する機器等があれば、どこにいても手軽に閲覧可能な状態にすることができる。
【００１３】
また、本発明にかかる睡眠モニタリングシステムでは、前記情報生成手段は、前記被験者の睡眠情報から一定以上の振幅を有する測定信号を抽出することにより前記体動情報を生成することができる。これにより、被験者の体動情報を簡便に生成することができる。
【００１４】
さらにまた、本発明にかかる睡眠モニタリングシステムは、前記モニタリング装置は、前記登録者からの要求に応じて、前記在床情報及び前記体動情報の取得を要求する情報取得要求手段（例えば、発明の実施の形態におけるｗｅｂサーバー４７）を有し、前記睡眠状態測定装置の送信手段は、前記情報取得要求手段による要求に応じて、前記在床情報及び前記体動情報を前記モニタリング装置に対して送信することができる。これにより、登録者は、被験者の睡眠状態を的確に表す在床情報及び体動情報を閲覧することができるので、正確に被験者の睡眠状態を効率良くモニタリングすることができる。
【００１５】
本発明にかかるモニタリング装置は、被験者の睡眠状態をモニタリングするモニタリング装置（例えば、発明の実施の形態における管理装置１２ａ及びｗｅｂサーバー４７）であって、前記被験者から検出された睡眠情報に基づいて生成された、被験者が在床しているか又は離床しているかを示す在床情報、及び被験者が体動を発生させたか否かを示す体動情報を取得する情報取得手段（例えば、発明の実施の形態における制御部４１及びデータ送受信部４５）と、当該情報取得手段により取得された在床情報及び体動情報を、予め登録された登録者の端末によって閲覧可能な状態にする情報提示手段（例えば、発明の実施の形態におけるｗｅｂサーバー４７）とを備えたものである。このような構成により、登録者は、被験者の睡眠状態を的確に表す在床情報及び体動情報を、インターネット接続する機器等があれば、どこにいても手軽に閲覧することができる。
【００１６】
他方、本発明にかかるモニタリング装置は、被験者の睡眠状態をモニタリングするモニタリング装置（例えば、発明の実施の形態における管理装置１２ａ及びｗｅｂサーバー４７）であって、前記被験者から検出された睡眠情報に基づいて生成された、被験者が在床しているか又は離床しているかを示す在床情報、及び被験者が体動を発生させたか否かを示す体動情報を取得する情報取得手段（例えば、発明の実施の形態における制御部４１及びデータ送受信部４５）と、当該情報取得手段により取得された在床情報及び体動情報に基づいて、被験者の入眠及び覚醒、並びに浅い眠り及び深い眠りを判定する判定手段（例えば、発明の実施の形態における判定部４８）と、当該判定手段により判定された前記被験者の入眠及び覚醒を、予め登録された登録者の端末によって閲覧可能な状態にする情報提示手段（例えば、発明の実施の形態におけるｗｅｂサーバー４７）とを備えたものである。このような構成により、登録者は、被験者の睡眠状態を的確に表す在床情報及び体動情報を、インターネット接続する機器等があれば、どこにいても手軽に閲覧することができる。
【００１７】
さらに、本発明にかかるモニタリング装置は、前記判定手段は、前記入眠及び前記覚醒に基づいて被験者の睡眠時間を算出し、前記情報提示手段は、前記登録者の端末によって前記睡眠時間を閲覧可能な状態にすることができる。これにより、登録者は、正確に被験者の睡眠状態をモニタリングすることができる。
【００１８】
【発明の実施の形態】
以下、本発明の実施の形態について図を参照して説明する。
発明の実施の形態１．
発明の実施の形態１では、本発明の実施の形態における睡眠モニタリングシステムについて説明する。図１を用いて、本実施形態における睡眠モニタリングシステムの構成について説明する。図１は、本実施形態における睡眠モニタリングシステムのシステムの一構成例を示すブロック図である。
【００１９】
まず、本実施形態における睡眠状態測定装置について説明する。本実施形態における睡眠状態測定装置１１ａは、被験者である利用者の生体情報から在床データ、体動データを生成するものである。ここで、生体情報は、利用者の寝具等に設置された睡眠状態判定装置１１ａにより検出される睡眠状態を示す。図１に示すように、睡眠状態測定装置１１ａは、生体情報検出部３１、データ解析部３２、データ送受信部３３を備えている。図１に示すように、利用者宅１１に設けられたデータ送受信部３３は、利用者宅１１内のデータ送受信をデータ受信センター１２との間で無線又は有線で行うためのものである。
【００２０】
生体情報検出部３１は、利用者の生体情報を検出し、検出信号として出力する。データ解析部３２は、生体情報検出部３１で検出された検出信号に基づき利用者の在床・離床を示す在床データ、利用者の体動の有無を示す体動データを生成する。
【００２１】
図２及び図３を用いて、睡眠状態測定装置１１ａの一例について説明する。図２は、睡眠状態測定装置１１ａの一構成例を示す模式図である。図２に示すように、睡眠状態測定装置１１ａは、例えば、流体封入体３１ａ、エアチューブ３１ｂ、圧力センサ３１ｃ、データ解析部３２を備えている。
【００２２】
ここで、流体封入体３１ａ、エアチューブ３１ｂ及び圧力センサ３１ｃは、生体情報検出部３１を構成している。これらの流体封入体３１ａ、エアチューブ３１ｂ及び圧力センサ３１ｃによって人体の変動を検出することができる。
【００２３】
流体封入体３１ａは、バイタルマット、エアマット、流体袋とも呼ばれ、利用者のマットレスやシーツ等の就寝具に取り付けられる。即ち、生体情報を検出するときに、流体封入体３１ａは、利用者に直接又は間接的に接する。この流体封入体３１ａには、水や空気等の流体が封入されている。この流体封入体３１ａは、パッド状であっても、複数個のブロックに分離されたシート状のものであってもよい。
【００２４】
エアチューブ３１ｂは、流体封入体３１ａの圧力変動を圧力センサ３１ｃに伝達するためのものである。このエアチューブ３１ｂは中空状に構成され、流体封入体３１ａに封入された流体が自由に移動する。エアチューブ３１ｂは、例えば、ビニル等により形成される。
【００２５】
圧力センサ３１ｃは、エアチューブ３１ｂを介して流体封入体３１ａに接続されている。圧力センサ３１ｃは、エアチューブ３１ｂを介して流体封入体３１ａの圧力変動を検出し、電気信号として出力する。また、圧力センサ３１ｃの代わりに流体封入体３１ａの外表面形状の変化を計測する変位検出器を用いることも可能である。なお、圧力センサ３１ｃは、エアチューブ３１ｂを介さずに、直接、流体封入体３１ａに接続されるようにしてもよい。
【００２６】
このような睡眠状態測定装置１１ａを用いることにより、利用者の生体情報を利用者に無意識、無侵襲、かつ無拘束に検出して測定することができる。これにより、利用者を測定する際の精神的負担を低減することができる。
【００２７】
図３を用いて、このデータ解析部３２の一構成例について説明する。図３は、睡眠状態測定装置１１ａのデータ解析部３２の一構成例を詳細に示すブロック図である。図３に示されるように、データ解析部３２は、信号入力部６１、バンドパスフィルタリング部６２、データ生成部６３、制御部６４、記憶部６５、出力部６６を備えている。
【００２８】
信号入力部６１は、圧力センサ３１の信号出力端子と接続されている。この信号入力部６１は、圧力センサ３１からの検出信号が入力され、信号処理のためのインターフェース処理を実行する。
【００２９】
バンドパスフィルタリング部６２は、信号入力部６１から入力された検出信号からノイズ等を除去して所望の測定データを分離する。また、バンドパスフィルタリング部６２は、アナログフィルタであってもよく、入力信号をＡ／Ｄ変換した後にデジタルフィルタにより信号を分離するようにしてもよい。
【００３０】
データ生成部６３には、バンドパスフィルタリング部６２から測定データが入力される。このデータ生成部６３は、制御部６４の制御によって、測定データから在床データを生成する。例えば、在床データは、測定データのパワーに基づいて生成される。そして、データ生成部６３は、測定データと在床データとを制御部６４に出力する。
【００３１】
さらに、データ生成部６３にバンドパスフィルタリング部６２から測定データが入力されると、制御部６４は、データ生成部６３で測定データから体動データを生成させる。例えば、体動データは、測定データの振幅に基づいて生成される。そして、データ生成部６３は、体動データを制御部６４に出力する。
【００３２】
制御部６４は、データ解析部３２における信号処理制御、表示制御、記憶制御等、各構成による処理を制御するものである。この制御部６４は、ＭＰＵ、ＣＰＵ、ＲＯＭ、ＲＡＭにより構成される。また、制御部６４は、データ生成部６３から測定データ、在床データ、体動データを取得して記憶部６５に格納する。
【００３３】
記憶部６５には、測定データ、在床データ、体動データが記憶される。この記憶部６５に格納された情報を、外部記憶媒体に格納できるようにしてもよい。記憶部６５に格納された情報は、事後的に治療のために用いてもよい。また、記憶部６５に、生体情報検出部３１からの信号を一時的に記憶してもよいし、データ解析部３２で生成されるデータを記憶してもよい。
【００３４】
出力部６６は、測定データ、在床データ、体動データを外部に知覚可能なように出力する。この出力部６６は、例えば、液晶パネル、プラズマディスプレイパネル、有機ＥＬパネルの表示手段、ブザー等の鳴動手段により構成される。
【００３５】
データ送受信部３３は、制御部６４の送信命令に応じて、入力されたデータを管理装置１２ａのデータ送受信部４５に送信する機能を有する。データ送受信部３３は、入力されたデータを、公衆回線５１を介して管理装置１２ａのデータ送受信部４５に送信する。このデータ送受信部３３は、データ送信のために電話回線の開閉を行ってデータの送信を行う。なお、公衆回線５１は電話回線だけでなく、インターネット、専用回線、他の公衆網等の通信網であってもよい。またなお、データ送受信部３３は、有線によりデータを管理装置１２ａに送信するだけでなく、無線により送信してもよい。
【００３６】
図４は、睡眠状態測定装置１１ａで作成される在床データ及び体動データの一例を示す模式図である。図４（ａ）は、睡眠状態測定装置１１ａで検出された検出信号から生成される測定データの一例を示す波形図である。図４（ｂ）は、睡眠状態測定装置１１ａで測定された測定データから作成される在床データ及び体動データの一例を示す模式図である。
【００３７】
図４（ｂ）に示す在床データは、測定データを示す信号の振幅の有無に基づいて作成される。例えば、データ解析部３２のデータ生成部６３において、１分間ごとに測定データの振幅の２乗を時間に関して積分した積分値を算出し、この積分値を所定の値と比較する。積分値が所定の値よりも大きい場合には利用者は在床しているとし、積分値が所定の値よりも小さい場合には利用者は離床しているとする。つまり、一定時間の間における測定データの２乗と時間軸との間の面積を基準値と比較して在床・離床を定めることができる。
【００３８】
図４（ｂ）に示す体動データは、測定データを示す信号の振幅に基づいて作成される。例えば、データ解析部３２のデータ生成部６３のおいて、１分間ごとに測定データの振幅と所定のしきい値とが比較される。前述の在床データを用いて、振幅がしきい値よりも大きく、かつ利用者が在床している場合を体動があるものとする。そして、振幅がしきい値よりも小さい場合には体動がないものとする。また、前述の在床データを用いて、在床かつ体動なしの場合を在床、離床かつ体動なしの場合を離床として、在床・離床を定めることができる。
【００３９】
このように定められた在床・離床を示す在床データ、体動の有無を示す体動データは、データ解析部３２の記憶部６５に時間ごとに管理されて格納される。なお、図４（ｂ）の在床データにおいては、空白部分が離床を示している。
【００４０】
次に、データ受信センター１２の管理装置１２ａについて説明する。本実施形態における管理装置１２ａは、利用者の在床データ、体動データから入眠、覚醒を判定するものである。図１に示されるように、データ受信センター１２の管理装置１２ａは、制御部４１、入力部４４、表示部４３、データ送受信部４５、記憶部４２、判定部４８を備えている。
【００４１】
そして、管理装置１２ａは、遠隔地の家族の外部端末１４ａや携帯端末１４ｃに利用者に関する評価判定結果を電子メール等で送信するメール送受信部４６を備えている。
【００４２】
さらに、本実施形態における管理装置１２ａは、ｗｅｂサーバー４７を用いて利用者の在床データ、体動データ、さらには利用者の入眠、覚醒を家族又は本人に対して公開するものである。なお、データ受信センター１２の記憶部４２やメール送受信部４６等を物理的に別装置として構成してもよいし、ｗｅｂサーバー４７と一体に構成された管理装置としてもよい。
【００４３】
制御部４１は、当該管理装置１２ａ内の各構成に対して制御を実行する機能を有し、ＣＰＵ、ＭＰＵ等により構成される。本実施形態の管理装置１２ａでは、例えば、制御部４１は、測定データを加工したり、在床データや体動データを加工したりし、その加工結果をメモリ等の記憶部４２に記憶する機能を有する。また、その加工結果を表示部４３に表示する機能も有する。
【００４４】
入力部４４は、例えばキーボード、マウス等の入力手段である。表示部４３は、液晶ディスプレイ、ＣＲＴ等の表示手段である。表示部４３には在床データ、体動データ等の種々のデータが表示される。データ送受信部４５は、利用者宅１１の睡眠状態測定装置との間でデータの送受信を行うための通信手段である。
【００４５】
記憶部４２は、種々のデータ、各種制御プログラムを格納するメモリ、ハードディスク等の記憶手段である。また、記憶部４２は、各種情報を加工した加工結果、各種制御プログラムから生成されるデータを格納する。なお、記憶部４２に格納された各種データに基づいて、利用者毎の体動等の睡眠時の睡眠状態データ及び在床時間帯、睡眠時間等を演算しトレンドデータとしてグラフを表示部４３に表示してもよい。
【００４６】
判定部４８は、比較器等により構成され、制御部４１の処理命令に従い、在床データや体動データから利用者の入眠・覚醒した時刻を判定する。さらに、判定部４８は、在床データや体動データから判定された利用者の入眠・覚醒を用いて、利用者の入眠から覚醒までの時間である睡眠時間を算出する。さらに、判定部４８は、一日の睡眠時間の総計を算出することができる。また、判定部４８は、在床データから利用者の入床・離床を判定したり、在床時間を算出したりすることができる。
【００４７】
判定部４８により、このような測定データ上での入眠の判定を在床データと体動データとを用いて行うことができる。利用者が入床する時点は、在床データから判定することができる。このとき、体動データ上には、利用者の入床にともない、大きな振幅を有する体動を示す部分が現れている。
【００４８】
そして、この体動データ上の体動の後に、利用者の入眠を示す時点で再び体動が現れている。これは、利用者が、覚醒時には体に力が入ったり入床しても動いていたりするが、入眠とともに、体の力が抜けたり体を動かさなくなったりするためである。さらに、利用者の入眠後には、利用者の睡眠により体動データに体動がない状態となるため、基本的に在床データが在床を示し、かつ体動データにおいて体動がない状態が現れる。
【００４９】
また、入眠と同様に、判定部４８によって、覚醒を在床データと体動データとを用いて判定することができる。すなわち、利用者の睡眠時には、基本的に在床データが在床を示し、かつ体動データにおいて体動がない状態である。そして、利用者の覚醒にともなって、在床データが在床を示した状態で、体動データで体動が現れる。これは、利用者が、睡眠時には体の力が抜けていたり体を動かさなかったりするが、覚醒とともに、体に力が入ったり体を動かしたりするためである。この体動データ上の体動の後に、利用者が離床をすると、離床を示す体動が体動データ上に現れる。この後、利用者の離床にともなって在床データが離床を示すことになる。
【００５０】
このように、判定部４８は、在床データに基づいて入床・離床を判定するのみならず、入床・離床とともに体動データに基づいて入眠・覚醒を簡便かつ確実に判定することができる。また、利用者の睡眠の深さは、例えば体動データに体動が周期的に現れている場合には利用者は深い眠りでよく眠っていると判定することができる。また、例えば、在床していて、かつ体動データに体動が頻繁に現れている場合には、利用者は寝付かれず、浅い眠りの状態であると判定することができる。
【００５１】
このように、利用者の入眠は、在床データを用いて入床を判定し、この判定とともに体動データでの体動の現れ方と体動の有無を用いて判定することができる。さらに、利用者の覚醒は、在床データを用いて離床を判定し、この判定とともに体動データでの体動の現れ方と体動の有無を用いて判定することができる。これにより、判定部４８は、在床データ及び体動データを用いて利用者の入眠及び覚醒を精度良く判定することができる。
【００５２】
メール送受信部４６は、制御部４１からの命令に従って、メールを送受信する。また、メール送受信部４６は、利用者からのデータの受信に応じて、登録された送信先に電子メールを自動で送信することができる。なお、メール送受信部４６は、メールサーバーとして管理装置１２ａと別に設けてもよい。
【００５３】
図１に示すように、データ受信センター１２は、管理装置１２ａが通信網５２に接続するためのｗｅｂサーバー４７を備える。ｗｅｂサーバー４７は、従来のサーバーであり、例えば、制御部、記憶部、通信制御部を備えている。また、入力部や表示部を備えてもよい。データ受信センター１２は、ｗｅｂサーバー４７によりｗｅｂページを利用者の家族等に公開している。
【００５４】
通信網５２は、インターネット、公衆網等の通信網である。なお、ｗｅｂサーバー４７に外部から接続する際、パスワード等の入力により利用者の家族のような特定の人のみアクセスすることができる。
【００５５】
遠隔地の家族宅１４の外部端末１４ａは、従来のパーソナルコンピュータとすることができる。また、家族が有する携帯端末１４ｃは、携帯電話端末のような従来の携帯端末とすることができる。外部端末１４ａや携帯端末１４ｃは、通信網５２に接続し、通信網５２を介してデータ受信センター１２のｗｅｂサーバー４７に接続することができる。
【００５６】
なお、オペレータは、利用者宅１１の睡眠状態測定装置１１ａより送信された在床データ、体動データ、別途質問状により入手した情報等に基づいて異常があるかどうかを分析して判定評価してもよい。このようにオペレータが判定評価する場合、利用者のかかりつけ医師に当該データを送信することにより入手した分析結果をも参酌するようにしてもよい。
【００５７】
さらに続いて、管理装置１２ａの記憶部４２に記憶される各種データについて説明する。図５を用いて、管理装置１２ａの記憶部４２に格納される利用者に関する情報について説明する。
【００５８】
図５に示すように、管理装置１２ａの記憶部４２には、利用者属性、家族属性、時間データ、在床データ、体動データ、コメントデータ、測定データ、睡眠状態データ、睡眠時間データ等の利用者に関するデータベース（利用者ＤＢ）が格納されている。
【００５９】
「利用者属性」は、利用者のＩＤナンバー、氏名、年齢、生年月日、血液型、利用者宅１１の電話番号や住所、メールアドレスのような利用者自身の一般的な情報である。さらに、「利用者属性」として、今までにかかった病気に関する病歴、既往症、当該安否確認サービスにおけるヘルパーステーションの連絡先等が格納されている。
【００６０】
「家族属性」は、氏名、家族宅１４の電話番号や住所、メールアドレスのような遠隔地の家族の一般的な情報である。また、「時間データ」として、管理装置１２ａが睡眠状態測定装置１１ａからデータを受信した時刻が記憶される。
【００６１】
「在床データ」は、前述のような睡眠状態測定装置１１ａが生成する利用者の在床又は離床を示すデータである。「体動データ」は、前述のような睡眠状態測定装置１１ａが生成する体動を示すデータである。
【００６２】
「コメントデータ」は、睡眠状態に関するデータである。
【００６３】
「睡眠状態データ」は、利用者の入眠時刻、覚醒時刻等の睡眠状態を示すデータである。「睡眠時間データ」は、利用者の１日あたりの睡眠時間を示すデータである。
【００６４】
なお、図５に示す各種情報に限らず、管理装置１２ａに、長期間に亘って測定された在床データ、体動データを蓄積することができる。これにより、被験者である利用者の特徴（例えば、浅い眠りに入ると、いびきをかき、体動が一定回数以上になる等）を分析することができる。
【００６５】
次に、図６を参照しつつ図７を用いて、当該睡眠モニタリングシステムにより実施されるサービスを用いてモニタリング処理フローについて説明する。図７は、睡眠モニタリングシステムによる処理フローの一例を示すフローチャートである。
【００６６】
図７に示すように、利用者１１ｂが電源をＯＮすると、睡眠状態測定装置１１ａはデータの検出・計測を開始する（Ｓ１０１）。この睡眠状態判定状態１１ａにより計測された計測データは、睡眠状態測定装置１１ａの記憶部６５に格納される。また、睡眠状態測定装置１１ａのデータ生成部６３で在床データ、体動データが生成されて記憶部６５に格納される。
【００６７】
睡眠状態測定装置１１ａは、計測したデータを管理装置１２ａに転送するのに予め設定された転送予定の時間まで待つ（Ｓ１０２）。データを転送する時間になると、睡眠状態測定装置１１ａは、計測データ、在床データ、体動データをデータ送受信部３３から管理装置１２ａのデータ送受信部４５に送信する（Ｓ１０３）。
【００６８】
なお、これらの送信するデータを、計測・生成して記憶部６５に格納すると同時に管理装置１２ａに転送してもよい。また、予め設定された転送予定の時間に至らない場合、睡眠状態測定装置１１ａは、さらにデータを計測して測定データ等を記憶する（Ｓ１０１）。
【００６９】
データ受信センター１２の管理装置１２ａは、転送時間ごとに送信されたデータを受信する（Ｓ１０４）。管理装置１２ａは、受信したデータを記憶部４２に格納する。それとともに、ｗｅｂサーバー４７のｗｅｂページを自動的に更新させる（Ｓ１０５）。
【００７０】
そして、管理装置１２ａは、利用者１１ｂの睡眠状態測定装置１１ａからデータを受信する受信待ちの状態へと戻って処理フローが終了する。
【００７１】
このように処理フローによりデータ受信センター１２の管理装置１２ａが受信したり生成したりしたデータは、管理装置１２ａの記憶部４２に格納される。そして、この記憶部４２に格納されたデータに基づいてｗｅｂサーバー４７のｗｅｂページが作成される。このｗｅｂページは、予め登録されている利用者１１ｂの家族１４ｂに対して公開され、家族１４ｂが外部端末１４ａや携帯端末１４ｃを用いて閲覧することができるようになっている。
【００７２】
図８乃至図１１を用いて、家族が閲覧するｗｅｂページの一例について説明する。図８乃至図１１は、家族が閲覧する画面の一例を示す模式図である。
【００７３】
図８は、家族がｗｅｂベージを閲覧するために開く画面の一例を示す。図８に示すように、家族が外部端末１４ａや携帯端末１４ｃ上でブラウザーを開いてｗｅｂサーバー４７にアクセスしようとすると、「利用者状況ご確認のページ」と題して、家族は、利用者ＩＤとパスワードの入力を要求される。家族が正しい利用者ＩＤとパスワードとを入力して「ＯＫ」をクリックすると、ｗｅｂサーバー４７は、管理装置１２ａの記憶部４２から利用者ＩＤを読み込んで入力された利用者ＩＤと比較し、さらには入力されたパスワードとｗｅｂサーバー４７が保管するパスワードを比較する。そして、この比較が合致すると、家族はｗｅｂサーバー４７にアクセス可能な状態となる。
【００７４】
家族がｗｅｂサーバー４７にアクセスした後、利用者のデータを閲覧したい場合には、「データを見る」をクリックし、当該安否確認サービスの概要等の説明を知りたい場合には「サービスの説明」をクリックする。これらのｗｅｂページを表示するために家族がクリックすると、ｗｅｂサーバー４７は、管理装置１２ａの記憶部４２に格納された各種のデータを読み込んでｗｅｂページを作成し、作成したｗｅｂページを表示する。また、「戻る」をクリックすることにより、当該サービスを提供する企業体のホームページに移ることができる。このとき、家族のログアウトの要求を行い、図８に示すｗｅｂページに移る時に利用者ＩＤとパスワードの入力を再度要求してもよい。
【００７５】
図９は、利用者のデータを見るためのｗｅｂページを示す。図９に示すように、家族は、図８に示すｗｅｂページにおいて「データを見る」のアイコンをクリックすると、このｗｅｂページ上で利用者の各種データを閲覧することができる。家族がｗｅｂページ上で閲覧できるデータには、管理装置１２ａに記憶されるデータに対応して、例えば、利用者指名、利用者の家族氏名、在床データや体動データ、コメントデータ等がある。
【００７６】
さらに、ｗｅｂページ上には、「データは、２００２年９月１０日（火）１４：００現在のものです」と表示され、家族が閲覧しているデータの更新状態を知らせることができる。そして、この更新状態で、「ご利用者様の状態は『離床中』です」と表示して、家族に対して利用者の状態を知らせる。また、「戻る」をクリックすることにより、当該サービスを提供する企業体のホームページや図８に示すｗｅｂページに移ることができる。
【００７７】
家族は、「最新のデータを収集する」をクリックすると、ｗｅｂページを更新して利用者の最新の状態を知ることができる。より具体的には、「最新のデータを収集する」をクリックすると、管理装置１２ａは睡眠状態測定装置１１ａに対して、最新データの送信要求を送信する。睡眠状態測定装置１１ａのデータ送受信部３３は、この要求に応じて、最新データ、すなわち、最新の在床データ及び体動データを管理装置１２ａに対して送信する。管理装置１２ａは、受信した在床データ及び体動データに基づきｗｅｂページを更新する。その際、収集には１０分程度の時間がかかり、管理装置１２ａは、収集完了つまりｗｅｂページの更新が完了した場合にメールで家族に対して知らせる。
【００７８】
なお、利用者１１からデータ受信センター１２の管理装置１２ａが利用者宅１１の睡眠状態測定装置１１ａに対して、最新データの送信要求を行うが、これに限らず、睡眠状態測定装置１１ａから管理装置１２ａに対して最新データを送信し続けてもよい。また、睡眠状態測定装置１１ａから管理装置１２ａに対してリアルタイムに最新データを送信してもよい。
【００７９】
さらになお、管理装置１２ａからの最新データの送信要求に応じて、睡眠状態測定装置１１ａではデータ解析部３２が在床データ・体動データの生成を開始するようにしてもよい。
【００８０】
図１０は、在床データをグラフとして表示したｗｅｂページの一例を示す。図９に示すｗｅｂページ上で、家族が「在床グラフ／状態を見る」のアイコンをクリックすると、図１０に示すようなｗｅｂページが開かれる。図１０に示すように、在床データと体動データを同時に示す棒グラフが表示される。ここでは、１週間分の在床データと体動データとが曜日ごとに表示されている。在床データと体動データとは、体動がある場合には在床しているため、在床データ上に体動データを合成して分かりやすく表示することができる。さらに、大きな体動に対しては色を変えたり、各大きさの体動ごとに色分けたりしてもよい。このように、ｗｅｂページの表示デザインを種々に変更することにより、在床データと体動データとを視覚的に分かりやすく表示することができる。また、在床データと体動データとは、図４（ｂ）に示すように、別々に表示してもよい。
【００８１】
図１０に示すように、ｗｅｂページ上に表示する在床データと体動データは、１週間分に限らず、種々の期間の在床データと体動データとを表示させることができる。例えば、図中上方の期間を指定するアイコンを調整して「表示の更新」のアイコンをクリックすると、指定した期間の在床データと体動データがｗｅｂページ上に表示される。このように、表示を更新することにより、家族１４ａは利用者の生活スタイルや生活パターンを簡便に知ることができる。また、在床・離床を時系列に表示するため、家族は、利用者の生活パターン等を容易に知ることができる。
【００８２】
また、図１０の下方に示すように、「最新のデータを収集する」のアイコンをクリックすることにより、どのｗｅｂページからいつでも最新のデータに更新することができるようになっている。さらに、図１０においては、「ご利用者様の状態は『離床中』です」と表示して、家族に対して利用者の状態を常に知らせ続ける。これにより、家族１４ａは、どのｗｅｂページを閲覧している時でも、利用者の状態を知ることができる。また、「戻る」をクリックすることにより、当該サービスを提供する企業体のホームページや図９に示すｗｅｂページ等に移ることができる。
【００８３】
図１１は、利用者の在床時間を棒グラフとして表示したｗｅｂページの一例を示す。図９に示すｗｅｂページ上で、家族が「集計グラフを見る」のアイコンをクリックすると、図１１に示すように、利用者の在床時間を閲覧することができる。図１１に示すように、在床時間を示す棒グラフが表示される。ここでは、１週間分の在床データと体動データとが曜日ごとに表示されている。この棒グラフは、最も時間が多い日のグラフの色を変えたり、各グラフを色分けたりしてもよい。このように、ｗｅｂページの表示デザインを種々に変更することにより、在床時間を視覚的に分かりやすく表示することができる。また、在床時間は、折れ線グラフ、円グラフ等により表示してもよい。
【００８４】
図１１に示すように、ｗｅｂページ上に表示する在床時間は、１週間分に限らず、種々の期間の在床時間を表示させることができる。例えば、図中上方の期間を指定するアイコンを調整して「表示の更新」のアイコンをクリックすると、指定した期間の在床時間がｗｅｂページ上にグラフとなって表示される。このように、表示を更新することにより、家族１４ａは利用者の生活スタイルや生活パターンを簡便に知ることができる。また、在床時間や離床時間を用いて表示することにより、家族は、利用者の健康状態等を容易に知ることができる。さらに、図１１においては、平均在床時間が表示されているため、家族は、利用者の生活スタイルや生活パターンを簡便に概略的に把握することができる。
【００８５】
また、「戻る」をクリックすることにより、当該サービスを提供する企業体のホームページや図９に示すｗｅｂページ等に移ることができる。なお、図１０と同様に、「最新のデータを収集する」のアイコンをクリックすることにより、どのｗｅｂページからいつでも最新のデータに更新することができるようにしてもよい。さらに、図１０と同様に、「ご利用者様の状態は『離床中』です」と表示して、家族に対して利用者の状態を常に知らせ続けることができる。これにより、家族１４ａは、どのｗｅｂページを閲覧している時でも、利用者の状態を知ることができる。
【００８６】
なお、図８及び図１１に示すｗｅｂページにおいて、例えば、在床データ、体動データを棒グラフ、円グラフ、表等により表現し、視覚的に分かり易いようにしてもよい。この場合、専門的な知識を有さない利用者の家族にとって、より見やすく親しみのある情報とすることができる。さらに、見やすく親しみのある情報とすることにより、利用者にとってきめ細かなサービスとなるだけでなく、家族にとってもきめ細かで行き届いたサービスを提供することができる。
【００８７】
以上のように、本実施形態における睡眠モニタリングシステムでは、在床データと体動データを精度良く作成することができる。そのため、家族は、利用者の睡眠状態を的確に表す在床データと体動データを用いて利用者の在床・離床を正確にモニタリングすることができる。さらに、家族は、ｗｅｂページ上で利用者の離床・在床を簡便に知ることができる。これにより、家族は、利用者の生活パターンを簡便かつ正確に知ることができ、さらには利用者の睡眠状態を正確に把握することができる。
【００８８】
発明の実施の形態２．
発明の実施の形態２においては、発明の実施の形態１に示したｗｅｂページの他の一例について説明する。また、発明の実施の形態１においては在床・離床を表示していたが、発明の実施の形態２においては在床・離床とともに入眠・覚醒及び睡眠時間を表示する場合について説明する。なお、発明の実施の形態２における睡眠モニタリングシステムのシステム構成は、発明の実施の形態１と同様に構成することができるため、システム構成等の説明は省略する。
【００８９】
図１２を用いて、利用者のデータを見るためのｗｅｂページについて説明する。図１２は、家族が開く画面の一例を示す模式図である。図９と同様に、家族は、ｗｅｂページ上で利用者に関する種々のデータを閲覧することができる。
【００９０】
図１２に示す「睡眠データレポート」上には、例えば、利用者の利用者ＩＤ、利用者氏名、当該安否サービスを受けるにあたって契約した契約者氏名、利用者の住所等の個人情報が表示されている。これらの情報は、管理装置１２ａの記憶部４２に格納されている。さらに、「睡眠データレポート」には、利用者の睡眠状態を示すデータが表示されている。
【００９１】
図１２に示す「睡眠データレポート」上には、図９乃至図１１と同様に、在床データと体動データを棒グラフとして表示されている。例えば、図８に示すｗｅｂページ上に「睡眠データレポートを見る」のアイコンを設け、これを家族がクリックすることにより閲覧可能となっている。また、図１２に示す「睡眠データレポート」は、図９乃至図１１と同様に、各ｗｅｂページにリンクしてもよい。
【００９２】
図１２に示すように、在床データと体動データを同時に示す棒グラフが表示される。ここでは、１週間分の在床データと体動データとが曜日ごとに表示されている。在床データと体動データとは、在床していない場合には体動がないため、在床データ上に体動データを合成して分かりやすく表示することができる。さらに、大きな体動に対しては色を変えたり、各大きさの体動ごとに色分けたりしてもよい。このように、ｗｅｂページの表示デザインを種々に変更することにより、在床データと体動データとを視覚的に分かりやすく表示することができる。また、在床データと体動データとは、図４（ｂ）に示すように、別々に表示してもよい。
【００９３】
さらに、図１２に示す「睡眠データレポート」上の在床データと体動データとを表示する棒グラフには、入床・離床した時点のみならず、入眠・覚醒した時点が表示されている。これらの入眠・覚醒をｗｅｂページ上に表示する際、ｗｅｂサーバー４７は、管理装置１２ａの記憶部４２に格納された睡眠状態データを読み込み、この読み込んだ睡眠状態データからｗｅｂページを作成する。入眠・覚醒した時点は、管理装置１２ａの判定部４８において在床データや体動データに基づいて生成される。
【００９４】
そして、各棒グラフの横には、１日の睡眠時間や在床時間が表示され、家族は「睡眠データレポート」から利用者の１日の睡眠時間、在床時間を容易に把握することができるようになっている。また、睡眠時間や在床時間をｗｅｂページ上に表示する際、ｗｅｂサーバー４７は、管理装置１２ａの記憶部４２に格納された睡眠時間データを読み込み、この読み込んだ睡眠時間データに基づいてｗｅｂページを作成する。
【００９５】
例えば、在床時間に対して睡眠時間が極めて少ない場合、利用者の寝付きがよくないことが分かり、家族は利用者の健康状態が悪いと推測することができる。また例えば、在床時間と睡眠時間とがほぼ同じ場合、利用者の寝付きがよく、家族は利用者の健康状態が良好と推測して安心することができる。また、周期的に現れる体動データは、利用者が周期的な浅い眠りの状態にあると推測できる。なお、図１０や図１１と同様に、ｗｅｂページ上に表示する在床データと体動データは、１週間分に限らず、種々の期間の在床データと体動データとを表示可能にしてもよい。
【００９６】
このように、管理装置１２ａの判定部４８は、在床データと体動データを用いて睡眠時間を精度良く算出することができる。そのため、家族１４ａは利用者の精度良く睡眠時間を知ることができる。これにより、利用者の実質的な睡眠状態を正確に知ることができ、利用者の健康状態を確実に把握することができる。さらに、在床データと体動データとを棒グラフを用いて表示することにより、利用者の生活スタイルや生活パターンを視覚的に分かりやすく簡便に知ることができる。また、睡眠時間を用いて実質的な睡眠状態を表示するため、家族は、利用者の生活パターン等を正確に知ることができる。
【００９７】
図１２においては、「ご利用者様の現在の状態は『睡眠中』です」と表示して、家族に対して利用者の状態を常に知らせ続ける。これにより、家族１４ａは、どのｗｅｂページを閲覧している時でも、利用者の状態を知ることができる。そして、在床データと体動データに入眠の時点を表示することにより、家族は、利用者がいつから睡眠状態に入ったのかを容易に知ることができる。ここで、管理装置１２ａの判定部４８により利用者の入眠・覚醒が判定されているため、利用者が「睡眠中」であるか「入床中」であるかを区別して容易に表示することができる。
【００９８】
また図９や図１０と同様に、「最新のデータを収集する」のアイコンをクリックすることにより、どのｗｅｂページからいつでも最新のデータに更新することができるようにできる。また、「戻る」をクリックすることにより、当該サービスを提供する企業体のホームページや図９に示すｗｅｂページ等に移ることができる。
【００９９】
以上のように、本実施形態における睡眠モニタリングシステムでは、在床データと体動データを精度良く作成することができる。そのため、家族は、利用者の在床・離床を正確にモニタリングすることができる。さらに、家族は、ｗｅｂページ上で利用者の離床・在床を簡便に知ることができる。これにより、家族は、利用者の生活パターンを簡便かつ正確に知ることができる。
【０１００】
さらに、本実施形態における睡眠モニタリングシステムでは、精度の良い在床データと体動データから利用者の入眠・覚醒の時点を算出することができる。そのため、家族は、利用者の睡眠状態を的確に表す在床データと体動データを用いて、利用者が実質的な睡眠状態を正確にモニタリングすることができる。また、家族は、ｗｅｂページ上で利用者の実質的な睡眠時間を簡便に知ることができる。これにより、家族は、ｗｅｂページ上で利用者の健康状態を正確に把握することができる。特に、遠隔地にいる家族であっても、ｗｅｂページ上で、利用者の睡眠状態を簡便かつ正確に把握することができる。
【０１０１】
発明の実施の形態３．
発明の実施の形態３においては、発明の実施の形態１及び発明の実施の形態２における在床データ、体動データの具体例について、図１３乃至図１６を用いて説明する。図１３乃至図１６は、睡眠状態測定装置１１ａで測定された測定データを示す波形図、在床データ及び体動データを示す模式図である。
【０１０２】
図１３乃至図１６は、当日の１６時から翌日の８時まで測定した際のデータであるが、前日の８時から当日の１６時までの日中のデータは、基本的に利用者が離床しているものとして省略する。
【０１０３】
図１３は、睡眠状態測定装置１１ａが当日１６時から当日１９時５０分まで測定した際のデータである。図１３に示すように、当日１６時から１８時５０分頃までの間、振幅のない波形が続いている。これから、利用者が離床していることが分かる。この間、在床データには、連続的な利用者の在床を示す信号が現れていない。
【０１０４】
そして、１８時５０分頃から大きな振幅を有する波形が現れ、利用者が入床したことを読み取ることができる。このとき、在床データには入床にともなって部分的に離散的な信号が現れており、体動データには入床から入眠までの体動を示す離散的な信号が現れている。利用者が入床した後、利用者が１９時５分頃に入眠したことを読み取ることができる。この入眠にともない、在床データでは１９時５分頃以降に連続的な睡眠を示す信号が表れ、体動データでは入眠にともなって体動を示す信号がなくなっている。
【０１０５】
なお、利用者は１９時３０分過ぎに一時的に大きな振幅を有する波形が出現し、それにともなって体動データに一時的に体動を示す信号が現れている。ここで、この１９時３０分過ぎ前後で体動データが不連続となっていない。また、１９時３０分過ぎ前後で、後述の図１５に示すような振幅が小さな波形に比べて波形が大きいままである。そのため、利用者は、寝相を変化させることなく、睡眠時に手足を動かしたと考えられる。
【０１０６】
図１４に示すように、２０時から２０時５０分頃までの間、いくつか振幅が大きな波形が現れているが、その時々で体動データが不連続となっておらず、また振幅の大きさに変化がない。そのため、利用者は、ほぼ同じ寝相で手足を動かしながら就寝している。そして、２０時５０分過ぎ頃に、在床データで不連続となり、前後に大きな振幅を有する波形とともに振幅のない信号が現れる。このとき、体動データに、在床データの不連続な部分を挟んで体動を示す信号が現れている。そのため、利用者は一時的に離床し、さらに入床していることが分かる。
【０１０７】
利用者が離床した後に入床した２０時５５分頃から２１時３５分頃までの間、体動データに体動を示す信号があり、また振幅が大きな波形が現れている。このとき、利用者は、再び入床したものの入眠することができず、在床中に寝具の中で動いていると考えることができる。利用者が、２１時３５分から２１時４５の間、在床データで不連続となり、前後に大きな振幅を有する波形とともに振幅のない信号が現れる。このとき、体動データに、在床データの不連続な部分を挟んで体動を示す信号が現れている。そのため、利用者は一時的に離床し、さらに入床していることが分かる。
【０１０８】
再び入床した利用者は、利用者が２１時４５分頃に入眠したことを読み取ることができる。この入眠にともない、在床データでは２１時４５分頃以降に連続的な睡眠を示す信号が表れ、体動データでは入眠にともなって体動を示す信号がなくなっている。また、２０時から２０時５０分頃までの間に現れる波形の振幅とほぼ同じ振幅を有する波形が出現しているため、２０時から２０時５０分頃までの就寝時と同様の寝相で利用者は就寝していると考えることができる。
【０１０９】
２３時１０分頃に、在床データで不連続となり、前後に大きな振幅を有する波形とともに振幅のない信号が現れる。このとき、体動データに、在床データの不連続な部分を挟んで体動を示す信号が現れている。そのため、利用者は一時的に離床し、さらに入床していることが分かる。利用者が離床した後に入床した２３時１０分頃から２３時３０分までの間、体動データに体動を示す信号がないが、睡眠時の波形の振幅が大きくなっている。
【０１１０】
そして、２３時３０分から２３時４０分頃に再び在床データが不連続となり、前後に大きな振幅を有する波形とともに振幅のない信号が現れ、体動データに、在床データの不連続な部分を挟んで体動を示す信号が現れている。そのため、利用者は、２３時１０分頃に一時的に離床して入床したが、良く寝付くことができず寝具の中で動いていたが、結局、再び離床したものと考えることができる。さらに、体動データで在床を示す信号がない時間が長いことから比較的長い時間離床していたようである。その後、利用者は、１０分程度離床していたが、２３時４５分頃に入床して入眠している。
【０１１１】
図１５に示すように、利用者が再び入眠するのにともない、在床データでは２３時５０分頃以降に連続的な睡眠を示す信号が表れ、体動データでは入眠にともなって体動を示す信号がなくなっている。また、２０時から２０時５０分頃までの間に現れる波形の振幅とほぼ同じ振幅を有する波形が出現しているため、２０時から２０時５０分頃までの就寝時と同様の寝相で利用者は就寝している。
【０１１２】
翌日の０時３０分前に再び在床データで不連続となり、前後に大きな振幅を有する波形とともに振幅のない信号が現れ、体動データに、在床データの不連続な部分を挟んで体動を示す信号が現れている。そのため、利用者は、０時３０分前に一時的に離床して入床している。その後、０時３０分頃から０時５０分頃までの間、体動データに体動を示す信号が現れ、また振幅が大きな信号現れているため、入眠することができず入床してはいるが寝具の中で動いていたと考えられる。そして、入眠することができない利用者は、０時５０分頃から１時５分過ぎまで離床している。ここでも、０時５０分頃から１時５分過ぎまで在床データが不連続となり、前後に大きな振幅を有する波形とともに振幅のない信号が現れ、体動データに、在床データの不連続な部分を挟んで体動を示す信号が現れている。
【０１１３】
１時５分頃に、体動データに体動を示す信号が現れ、また振幅の大きな波形が現れ、利用者は入眠している。この入眠後、３時頃まで睡眠しているのであるが、例えば２０時から２０時５０分頃までの間に現れる波形の振幅に比べて小さな振幅を有する波形が出現している。ここで、離床時には振幅がない波形となるが、この波形は、離床時の振幅のように振幅がないわけではなく、振幅を有している。この波形より、利用者の寝相が横向きになっていると推測される。
【０１１４】
３時頃から３時１０分頃に再び在床データで不連続となり、前後に大きな振幅を有する波形とともに振幅のない信号が現れる。また、体動データに、在床データの不連続な部分を挟んで体動を示す信号が現れている。そのため、利用者は、３時頃に一時的に離床し、３時１０分頃に入床している。その後、３時１０分頃から３時３５分頃までの間、体動データに体動を示す信号が現れ、また振幅が大きな信号現れているため、入眠することができず入床してはいるが寝具の中で動いていたと考えられる。
【０１１５】
３時１０分頃、利用者は入床した後に入眠するのであるが、入眠後の波形が、例えば２０時から２０時５０分頃までの間に現れる波形の振幅とほぼ同じ振幅を有する波形となっている。そのため、離床して再び入床した後に、利用者は最初に入床した当初と同じ寝相で就寝している。またこのとき、在床データは連続的な在床を示す信号が現れ、また体動データには体動を示す信号が現れていない。
【０１１６】
図１６に示すように、３時１０分頃に入眠した利用者は、５時２０分頃まで睡眠し続ける。５時２０分頃から大きな振幅を有する波形が現れ、利用者が覚醒したことを読み取ることができる。このとき、在床データには入床にともなって部分的に離散的な信号が現れており、体動データには入床から入眠までの体動を示す離散的な信号が現れている。利用者が覚醒した後、利用者が５時２５分頃に離床したことを読み取ることができる。この離床にともない、在床データでは５時２５分頃以降に在床を示す信号がなくなり、体動データでも離床にともなって体動を示す信号がなくなっている。
【０１１７】
なお、利用者は６時頃に一時的に大きな振幅を有する波形が出現し、それにともなって、在床データに在床を示す信号と体動データに体動を示す信号とが一時的に現れている。この離床後の大きな振幅を有する波形から、例えば、利用者が着替えをする際に寝具上に物を置いたものと考えられる。
【０１１８】
このような利用者の在床データや体動データを用いて、利用者の在床時間や離床時間を正確に知ることができる。さらに、在床データ、体動データ入眠・覚醒を精度良く判定することができるため、利用者の実質的な睡眠時間を確実に把握することができる。さらに、家族は、ｗｅｂページ上で利用者の離床・在床を簡便に知ることができるため、利用者の生活パターンを簡便かつ正確に知ることができる。これにより、家族１４ａは、利用者の睡眠状態を的確に表す在床データと体動データを閲覧し、簡便かつ正確で、よりきめ細かなモニタリングサービスを受けることが可能となる。
【０１１９】
【発明の効果】
本発明によれば、第三者が被験者の睡眠状態を簡易かつ確実にモニタリングすることができる睡眠モニタリングシステム及びモニタリング装置を提供することができる。さらに、本発明の睡眠モニタリングシステムによれば、無意識、無侵襲、無拘束で睡眠状態を確実に取ることができ、第三者及び本人がモニタリングすることにより、被験者自身の状態を把握でき、健康状態をチャックすることができる。また、本発明の睡眠モニタリングシステムにおいては、無意識、無侵襲、無拘束に被験者の睡眠状態を測定することができるため、睡眠状態を測定する際の被験者の精神的負担を低減することができる。
【図面の簡単な説明】
【図１】本発明の実施の形態における睡眠モニタリングシステムの一構成例を示すブロック図である。
【図２】本発明の実施の形態における睡眠状態測定装置の一構成例を示す模式図である。
【図３】本発明の実施の形態における睡眠状態測定装置のデータ解析部の一構成例を示すブロック図である。
【図４】本発明の実施の形態における睡眠状態測定装置で作成される在床データ及び体動データの一例を示す模式図である。
【図５】本発明の実施の形態における管理装置に記憶されるデータの一例を示す模式図である。
【図６】本発明の実施の形態における睡眠モニタリングシステムの処理フローを示す概略模式図である。
【図７】本発明の実施の形態における睡眠モニタリングシステムの処理フローの一例を示すフローチャートである。
【図８】本発明の実施の形態１における家族が閲覧する画面の一例を示す模式図である。
【図９】
本発明の実施の形態１における家族が閲覧する画面の一例を示す模式図である。
【図１０】本発明の実施の形態１における家族が閲覧する画面の一例を示す模式図である。
【図１１】本発明の実施の形態１における家族が閲覧する画面の一例を示す模式図である。
【図１２】本発明の実施の形態２における家族が閲覧する画面の一例を示す模式図である。
【図１３】本発明の実施の形態３における睡眠状態測定装置で測定された測定データを示す波形図、在床データ及び体動データを示す模式図である。
【図１４】本発明の実施の形態３における睡眠状態測定装置で測定された測定データを示す波形図、在床データ及び体動データを示す模式図である。
【図１５】本発明の実施の形態３における睡眠状態測定装置で測定された測定データの一例を示す波形図、在床データ及び体動データの一例を示す模式図である。
【図１６】本発明の実施の形態３における睡眠状態測定装置で測定された測定データの一例を示す波形図、在床データ及び体動データの一例を示す模式図である。
【符号の説明】
１１　利用者宅、　１１ａ　睡眠状態測定装置、　１１ｂ　利用者、　１２　データ受信センター、　１２ａ　管理装置、　１２ｂ　オペレータ、　１３ヘルパーステーション、　１４　家族宅、　１４ａ　外部端末、　１４ｃ　携帯端末、３１ａ　流体封入体、　３１ｂ　エアチューブ、　３１ｃ　生体情報検出部、３２　データ解析部、　３３　データ送受信部、　４１　制御部、　４２　記憶部、　４３　表示部、　４４　入力部、　４５　データ送受信部、　４６　メール送受信部、　４７　ｗｅｂサーバー、　４８　判定部、　５１　公衆回線、５２　通信網、　６１　信号入力部、　６２　バンドパスフィルタリング部、
６３　データ生成部、　６４　制御部、　６５　記憶部、　６６　出力部
【図１】
2004097496.tif 000003
【図２】
2004097496.tif 000004
【図３】
2004097496.tif 000005
【図４】
2004097496.tif 000006
【図５】
2004097496.tif 000007
【図６】
2004097496.tif 000008
【図７】
2004097496.tif 000009
【図８】
2004097496.tif 000010
【図９】
2004097496.tif 000011
【図１０】
2004097496.tif 000012
【図１１】
2004097496.tif 000013
【図１２】
2004097496.tif 000014
【図１３】
2004097496.tif 000015
【図１４】
2004097496.tif 000016
【図１５】
2004097496.tif 000017
【図１６】
2004097496.tif 000018